(57)【特許請求の範囲】
【請求項１】
目地部を介して設けられた左右の床躯体の一方の目地部側の床躯体に形成された反目地部側が傾斜面の目地プレート支持ガイド凹部と、前記左右の床躯体の他方の目地部側床躯体に固定された目地プレート支持部材と、この目地プレート支持部材に固定された上面が目地部の中央部側が順次上方に位置する傾斜面の枕木と、この枕木に支持される丸パイプ材が後端部の底面に固定され、上面が他方の床躯体の上面とほぼ同一面となり、先端部が前記目地プレート支持ガイド凹部を覆い、目地部が狭くなると前記一方の床躯体上へ乗り上がる目地プレートと、この目地プレートの後端部を上方へ所定量移動可能となるように前記目地プレート支持部材に取付けられた前記前記丸パイプ材内に挿入された支持ピンを有する保持具とからなることを特徴とする床用目地装置。
【請求項２】
丸パイプ材と保持具の支持ピンは目地プレートの後端部の底面が他方の床躯体の上面とほぼ同一面まで移動可能となるように設定されていることを特徴とする請求項１記載の床用目地装置。
【発明の詳細な説明】
【０００１】
【発明の属する技術分野】
本発明は地震等によって目地部が狭くなると、床目地部を覆っている目地プレートの先端部が一方の床躯体上へ突出して、その揺れ動きを吸収する床用目地装置に関する。
【０００２】
【従来の技術】
従来、この種の床用目地装置は目地部を介して設けられた左右の建物の床躯体の一方の目地部側の床躯体に形成された反目地部側が傾斜面の目地プレート支持ガイド凹部と、前記左右の床躯体の他方の目地部側床躯体に上面が該他方の床躯体の上面とほぼ同一面で、上方へ移動可能に後端部が取付けられ、先端部が前記目地プレート支持ガイド凹部を覆い、目地部が狭くなると先端部が一方の床躯体上へ乗り上がることができる目地プレートとで構成されている。
【０００３】
【発明が解決しようとする課題】
従来の床用目地装置は目地プレートの重心部位が一方の床躯体の支持部を通過しなければ目地プレートの後端部が上方へ移動することがなく、目地プレートの先端部が一方の床躯体上へ大きく突出して大きな隙間が生じ、危険性が生じるという欠点があるとともに、上方へ移動した目地プレートの後端部上に荷重がかかると下方へ移動してしまい、危険であるという欠点があった。
【０００４】
本発明は以上のような従来の欠点に鑑み、目地部が狭くなると目地プレートの後端部を該目地プレートが傾斜状態になることにより自動的に上方へ押し上げ、目地プレートの先端部が一方の床躯体上へ大きく突出するのを阻止するとともに、押し上げられた目地プレートの後端部に荷重が加わっても、下方へ移動することなく、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の床躯体の一方の目地部側の床躯体に形成された反目地部側が傾斜面の目地プレート支持ガイド凹部と、前記左右の床躯体の他方の目地部側床躯体に固定された目地プレート支持部材と、この目地プレート支持部材に固定された上面が目地部の中央部側が順次上方に位置する傾斜面の枕木と、この枕木に支持される丸パイプ材が後端部の底面に固定され、上面が他方の床躯体の上面とほぼ同一面となり、先端部が前記目地プレート支持ガイド凹部を覆い、目地部が狭くなると前記一方の床躯体上へ乗り上がる目地プレートと、この目地プレートの後端部を上方へ所定量移動可能となるように前記目地プレート支持部材に取付けられた前記丸パイプ材内に挿入された支持ピンを有する保持具とで床用目地装置を構成している。
【０００７】
【発明の実施の形態】
以下、図面に示す実施の形態により、本発明を詳細に説明する。
【０００８】
図１ないし図７に示す本発明の第１の実施の形態において、１は目地部２を介して設けられた左右の建物３、３や建物とよう壁等の床躯体３ａ、３ａ間の目地部を覆う本発明の床用目地装置で、この床用目地装置１は前記左右の床躯体３ａ、３ａの一方の目地部側の床躯体３ａに形成された反目地部側が傾斜面４の目地プレート支持ガイド凹部５と、前記左右の床躯体３ａ、３ａの他方の目地部側床躯体３ａに複数本のビス６等によって固定されたアングル状の目地プレート支持部材７と、この目地プレート支持部材７に固定された上面が目地部の中央部側が順次上方に位置する傾斜面８の枕木９と、この枕木９に支持される丸パイプ材１０が後端部の底面に溶接等によって固定され、上面が他方の床躯体３ａの上面とほぼ同一面となり、先端部が前記目地プレート支持ガイド凹部５を覆い目地部２が狭くなると前記一方の床躯体３ａ上へ乗り上がる目地プレート１１と、前記目地プレート支持部材７に取付けられた前記目地プレート１１の後端部を上方へ所定量移動可能となるように、前記丸パイプ材１０内に挿入された支持ピン１２を有する保持具１３と、前記目地プレート１１の後端および先端部の上部に枢支ピン１４、１４で枢支された端部ガイドプレート１５、１５とで構成されている。
【０００９】
前記目地プレート１１は図３および図４に示すように、薄い四角皿状に金属板等で形成され目地プレート本体１６と、この目地プレート本体１６内にモルタルやコンクリート１７等を介して取付けられた、タイルや床化粧板等の床材１８とで構成されている。
【００１０】
前記保持具１３は図５に示すように、前記目地プレート支持部材７の両端部寄りの部位に複数本のビス６等によって固定される一対のＬ字状の保持具本体１９、１９と、こ保持具本体１９、１９の上部寄りの部位に形成された軸孔２０、２０に挿入されるとともに、前記丸パイプ材１０内に挿入される支持ピン１２と、この支持ピン１２の両端部に取付けられたピン、ナット等の抜け止め具２１、２１とで構成されている。
【００１１】
上記構成の床用目地装置１は地震等によって目地部２が広くなるように揺れ動いた場合には、図６に示すように目地プレート１１の先端部が目地プレート支持ガイド凹部５上をスライド移動して、その揺れ動きを吸収する。
【００１２】
目地部１２が狭くなるように揺れ動いた場合には、図７に示すように目地プレート１１の先端部が目地プレート支持ガイド凹部５の反目地部側の傾斜面４に沿って上方へスライド移動するとともに、後端部は他方の床躯体３ａの角部が支点となり、丸パイプ材１０が傾斜面８の枕木９上を移動して、目地プレート１１の後端部を上方へ移動させる。
このため、目地プレート１１の先端部が一方の床躯体３ａ上に大きく突出するのが阻止され、安全に使用することができる。
【００１３】
【発明の異なる実施の形態】
次に、図８ないし図１６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図８ないし図１０に示す本発明の第２の実施の形態において、前記本発明の第１の実施の形態と主に異なる点は、目地プレート支持ガイド凹部５を覆うように複数本のビス６等によって固定された目地プレート支持ガイド部材２２と、他方の床躯体３ａの上部角部を覆うように複数本のビス６等によって固定された支持プレート２３と、目地プレート１１の両側寄りの部位の底面に固定された２個の丸パイプ材１０Ａ、１０Ａと、この２個の丸パイプ材１０Ａ、１０Ａが位置する部位の目地プレート支持部材７に固定された枕木９Ａ、９Ａとを用いた点で、このように構成した床用目地装置１Ａにしても、前記本発明の第１の実施の形態と同様な作用効果が得られる。
【００１５】
図１１ないし図１３に示す本発明の第３の実施の形態において、前記本発明の第１の実施の形態と主に異なる点は、枕木の傾斜面８を一体形成した目地プレート支持部材７Ａを用いるとともに、丸パイプ材１０の両端部内に挿入される支持ピン１２Ａ、１２Ａを用いた保持具１３Ａを使用した点で、このように構成した床用目地装置１Ｂにしても、前記本発明の第１の実施の形態と同様な作用効果が得られる。
なお、本発明の実施の形態において、目地プレート支持部材７Ａの傾斜面８部位の強度を十分にするには、該傾斜面８部位の下部に補強材を配置してもよい。
【００１６】
図１４ないし図１６に示す本発明の第４の実施の形態において、前記本発明の第１の実施の形態と主に異なる点は、他方の床躯体３ａの目地部側部位にＶ字状の支持凹部２４を形成し、該支持凹部２４を覆うように複数個のビス６等によって固定された枕木の傾斜面８を有する目地プレート支持部材７Ｂを用いた点で、このように構成した床用目地装置１Ｃにしても、前記本発明の第１の実施の形態と同様な作用効果が得られる。
【００１７】
【発明の効果】
以上の説明から明らかなように、本発明にあっては次に列挙する効果が得られる。
【００１８】
（１）目地部を介して設けられた左右の床躯体の一方の目地部側の床躯体に形成された反目地部側が傾斜面の目地プレート支持ガイド凹部と、前記左右の床躯体の他方の目地部側床躯体に固定された目地プレート支持部材と、この目地プレート支持部材に固定された上面が目地部の中央部側が順次上方に位置する傾斜面の枕木と、この枕木に支持される丸パイプ材が後端部の底面に固定され、上面が他方の床躯体の上面とほぼ同一面となり、先端部が前記目地プレート支持ガイド凹部を覆い、目地部が狭くなると前記一方の床躯体上へ乗り上がる目地プレートと、この目地プレートの後端部を上方へ所定量移動可能となるように前記目地プレート支持部材に取付けられた前記丸パイプ材内に挿入された支持ピンを有する保持具とで構成されているので、目地部が地震等によって狭くなった場合、目地プレートの後端部を枕木の傾斜面によって上方へ押し上げることができる。
したがって、目地部の先端部が一方の床躯体上へ大きく突出するのを阻止でき、安全に使用することができる。
【００１９】
（２）前記（１）によって、目地プレートの後端部を枕木の傾斜面によって上方へ押し上げるので、押し上げられた目地プレートの後端部上に乗っても、目地プレートが下方へ移動するのを確実に防止できる。
【００２０】
（３）前記（１）によって、構造が簡単で、容易に取付けることができる。
【００２１】
（４）請求項２も前記（１）〜（３）と同様な効果が得られる。
【図面の簡単な説明】
【図１】本発明の第１の実施の形態の一部破断平面図。
【図２】図１の２−２線に沿う拡大断面図。
【図３】本発明の第１の実施の形態の目地プレートの一部破断斜視図。
【図４】本発明の第１の実施の形態の目地プレートの底面を示す斜視図。
【図５】本発明の第１の実施の形態の保持具の説明図。
【図６】本発明の第１の実施の形態の目地部が広くなった動作説明図。
【図７】本発明の第１の実施の形態の目地部が狭くなった動作説明図。
【図８】本発明の第２の実施の形態の一部破断平面図。
【図９】図８の９−９線に沿う拡大断面図。
【図１０】本発明の第２の実施の形態の目地プレートを外した状態の平面図。
【図１１】本発明の第３の実施の形態の一部破断平面図。
【図１２】図１１の１２−１２線に沿う拡大断面図。
【図１３】本発明の第３の実施の形態の保持具の説明図。
【図１４】本発明の第４の実施の形態の一部破断平面図。
【図１５】図１４の１５−１５線に沿う拡大断面図。
【図１６】目地プレート支持部材の設置状態の説明図。
【符号の説明】
１、１Ａ、１Ｂ、１Ｃ：床用目地装置、
２：目地部、          ３：建物、
４：傾斜面、
５：目地プレート支持ガイド凹部、
６：ビス、
７、７Ａ、７Ｂ：目地プレート支持部材、
８：傾斜面、            ９、９Ａ：枕木、
１０、１０Ａ：丸パイプ材、
１１：目地プレート、    １２、１２Ａ：支持ピン、
１３、１３Ａ：保持具、  １４：枢支ピン、
１５：端部ガイドプレート、
１６：目地プレート本体、
１７：モルタルやコンクリート、
１８：床材、            １９：保持具本体、
２０：軸孔、            ２１：抜け止め具、
２２：目地プレート支持ガイド部材、
２３：支持プレート、
２４：Ｖ字状の支持凹部。
【図１】
0003813880.tif 000002
【図２】
0003813880.tif 000003
【図３】
0003813880.tif 000004
【図４】
0003813880.tif 000005
【図５】
0003813880.tif 000006
【図６】
0003813880.tif 000007
【図７】
0003813880.tif 000008
【図８】
0003813880.tif 000009
【図９】
0003813880.tif 000010
【図１０】
0003813880.tif 000011
【図１１】
0003813880.tif 000012
【図１２】
0003813880.tif 000013
【図１３】
0003813880.tif 000014
【図１４】
0003813880.tif 000015
【図１５】
0003813880.tif 000016
【図１６】
0003813880.tif 000017